(57)【特許請求の範囲】
【請求項１】
噴霧器から噴出される液状の消臭剤であって、この消臭剤は天然抽出物からなる消臭成分と当該天然抽出物からなる消臭成分を含浸した無機多孔質微粒子を含む水溶液であり、この水溶液に対する前記天然抽出物の割合は１〜１０％、無機多孔質微粒子の割合は０．０１〜１％であることを特徴とする消臭剤。
【請求項２】
前記無機多孔質微粒子の中空部の容積が、０．５〜１．５ｍｌ／ｇ、細孔径が、５０〜１５０オングストローム、比表面積が、２００〜６００ｍ２／ｇ、嵩密度が、０．２ｇ／ｃｍ３以下である請求項１に記載の消臭剤。
【請求項３】
前記無機多孔質微粒子径が、０．５〜１０μｍの範囲に存在する請求項１または２に記載の消臭剤。
【発明の詳細な説明】
【０００１】
【発明の属する技術分野】
本発明は、人体安全性の高い天然抽出物を利用し、速効性及び持続性を兼ねた消臭剤に関するものであり、特に自動車用のミスト式消臭スプレーに好適な消臭剤に関する。
【０００２】
【従来の技術】
消臭剤は手軽さからスプレーで用いられ、安全性と自然志向から天然物質系の消臭成分が主体となっている。天然物質系の成分は消臭作用が明確でない物もあるが、悪臭成分に対し中和、酸化、還元反応などの化学的消臭と考えられている。
【０００３】
この化学的消臭は、悪臭成分に対して次々と消臭成分が必要となることから、持続性のある消臭効果は望めない。
【０００４】
持続性の高い消臭剤もしくは脱臭剤として、触媒系脱臭剤や人工酵素が開発されているが、加工方法が限定されることや製品形態も限られるのが実情である。一方、芳香剤などは徐放を持たせるために、特開昭６２−５７４８６、や特開昭６３−１４４２号公報では鉱物粉体を用いること、特開平５−３９１０、同６−２８５３５８号、同９−２０８４０６号公報ではマイクロカプセルを使い持続性を持たせたものが開示されている。
【０００５】
【発明が解決しようとする課題】
鉱物やマイクロカプセルなどに液を封入し徐放させることは、手軽な噴霧式のスプレーではその構造からシリンダー部やピストン部が鉱物やマイクロカプセルにより傷つけられ作動不良が生じやすいことや、その傾向が顕著になるとシリンダー内でつまる、所謂つまり現象が起こり、所定量を噴霧することができないなどの解決すべき技術的課題がある。
【０００６】
また、無機多孔質微粒子は水溶液中では容易に沈殿し再分散が悪いことから、噴霧器から噴霧される溶液中に無機多孔質微粒子が均一に含まれないという解決すべき技術的課題があった。そこで、噴霧器内の部品と消臭剤の微粒子との摩擦から引き起こされる噴霧器の物理的な劣化やつまり現象を解消しうる消臭剤が要求されている。
【０００７】
【課題を解決するための手段】
上記課題を解決すべく請求項１に係る発明では、天然抽出物を含む消臭成分と無機多孔質微粒子を含有して消臭剤とした。
本発明によれば、天然抽出物を含む消臭成分とこの消臭成分を含んだ無機多孔質微粒子を含有する液を噴霧器により同時に噴射させることで、天然抽出物を含む消臭成分の速効的な効果と、無機多孔質微粒子から前記天然抽出物を含む消臭成分が徐放されることで持続性をもたせる効果の双方の効果を奏する。
【０００８】
請求項２に係る発明では、無機多孔質微粒子内には、前記天然抽出物を含む消臭成分が封入されてなり、経時的に天然抽出物が徐放されてなる消臭剤とした。
本発明によれば、天然抽出物を含む消臭成分を無機多孔質微粒子に封入することで、前記消臭成分が前記無機多孔質微粒子表面から徐々に揮発していき、次々と臭い成分に接触させることが可能となる。
【０００９】
請求項３に係る発明では、天然抽出物を含んだ消臭成分を長期間にわたり徐放させるために、前記無機多孔質微粒子の中空部を含んだ形状を、容積０．５〜１．５ｍｌ／ｇ、細孔径５０〜１５０オングストローム、比表面積２００〜６００ｍ2／ｇ、嵩密度０．２ｇ／ｃｍ3以下とした。
本発明によれば、無機多孔質微粒子に封入された天然抽出物を含む消臭成分の徐放期間が数日間継続する等、長期に亘って有効に作用するものである。
【００１０】
請求項４に係る発明では、請求項１乃至３に係る発明の無機多孔質微粒子径が、０．５〜１０μｍの範囲に存在するようにした。
本発明のように無機多孔質微粒子径が、０．５〜１０μｍの範囲に存在する場合には、天然抽出物を含んだ消臭成分と前記天然抽出物を封入した無機多孔質微粒子を含有した液を、臭い成分に対してミストにより接触させる噴霧器に充填して使用しても、噴霧器内の部品であるチューブ、止水部、ピストン、シリンダー、ノズルに無機多孔質微粒子との摩擦から引き起こされる物理的な劣化や、堆積を引き起こさない。したがって、天然抽出物を含む消臭成分とその消臭成分を含む無機多孔質微粒子を同時にミスト式噴霧器で噴射させても、噴霧状態の不良及び噴霧器内に無機多孔質微粒子が堆積し、噴霧できなくなるつまり現象が解消される。
【００１１】
請求項５に係る発明では、請求項１乃至４に係る発明の無機多孔質微粒子がシリカからなり、当該無機多孔質微粒子の含有量が、０．０１〜１％とした。
本発明によれば、無機多孔質微粒子が沈殿しても容易に分散させることが可能となり、噴霧器から噴射される液に均一に無機多孔質微粒子が含まれることから、ミスト式噴霧器に適した無機多孔質微粒子となる。
また、噴霧乾燥後における噴霧された物の外観に消臭剤の付着による粉を吹いたような外観の汚れが目立たないので、噴霧された物（ガラス、樹脂）は噴霧乾燥後に良好な外観が維持される。
【００１２】
【発明の実施の形態】
以下に実施例により本発明をより具体的に説明する。尚、本発明の実施の形態はこれらに限定されるものではない。
【００１３】
【実施例】
（実施例１）
図１に中空を有する無機多孔質微粒子を、図２に中空部を有しない無機多孔質微粒子の概要を示す。図１、図２に示した無機多孔質微粒子とガラスの中空体（フジガラスバルーン：一部分級）を用いて、それらの粒子径と作動性、噴霧状態について比較した。スプレーとして河野樹脂製トリガー（ＴＳ０１Ｍ）、キャニヨン製（Ｔ９６００）を用いた。作動性・噴霧状態の確認は５０〜１００回連続で噴霧させた後、５０℃の恒温槽に１日程度の乾燥を行い、最終的に１０００〜１５００回ほど噴霧した。
【００１４】
無機微粒子の粒子径が大きいほど、トリガーの作動性・噴霧状態の不良が大きい傾向であり、１０μｍ以下が好ましい状態であった。
【００１５】
【表１】
0004683700.tif 000002
【００１６】
（実施例２）
無機多孔質の組成と水溶液中での再分散性を各トリガーに合う透明なボトルを作製し、内容積３００ｍｌにて比較した。水溶液は茶、笹、ヨモギ、シソなどからなる２種以上の天然抽出物１〜１０％、無機多孔質微粒子０．０１〜１％からなる。
水溶液の容器への充填後、室温、５０℃高温槽内で数日から数ヶ月放置した条件で無機多孔質微粒子の分散性を比較した。
【００１７】
天然抽出物を含む消臭成分と無機多孔質微粒子とを含有する液を噴霧器に充填し長期間静置することで、無機多孔質微粒子が凝集を引き起こすことのないことが確認された。また、水溶液中での沈殿傾向に組成の違いはないが、再分散性を見ると高純度のシリカが好ましい状態であった。
【００１８】
【表２】
0004683700.tif 000003
【００１９】
（実施例３）
無機多孔質微粒子の組成と噴霧乾燥後の粉を吹いたような外観性を比較した。スプレーとして河野樹脂製トリガー（ＴＳ０１Ｍ）、キャニヨン製（Ｔ９６００）を用いた。高純度のシリカからなる無機多孔質微粒子及びセラミックバルーン（主成分  シリカ、アルミナ：不純物  鉄など）を用い、添加量  ０．０１〜１％にて噴霧後の外観を見た。
【００２０】
高純度のシリカと鉄などの不純物が含まれる無機多孔質微粒子では、噴霧乾燥後における外観の相違が確認された。
【００２１】
【表３】
0004683700.tif 000004
【００２２】
（比較例１）
茶、笹、ヨモギ、シソなどからなる天然抽出物を封入した無機多孔質微粒子の徐放性を記載する。無機多孔質微粒子は組成をシリカ、粒子径０．５〜１０μｍ、細孔径５０〜１５０Å、細孔容積を１〜１．５ｍｌ／ｇとした。
【００２３】
天然抽出物を封入した無機多孔質微粒子を試料とし、この試料２ｇをポリエステル綿１ｇに付着させて、すぐのもの、１日室温にて放置したもの、１週間室温にて放置したもの、を作製して消臭効果の試験サンプルとした。臭いガス：アンモニア、硫化水素とした。
【００２４】
テドラーバック内に試験サンプル及び臭いガス６００ｍｌを封入し、３時間放置後のガス濃度の変化を見た。検知管により濃度の測定を行った。なお比較のためにＢｌａｎｋとしてテドラーバックにガスのみ封入したものと、ポリエステル綿を封入したものを準備した。
【００２５】
その１〜その３に示したように、茶、笹、ヨモギ、シソなどの天然消臭成分を無機多孔質微粒子に封入させることで１週間レベルの持続性がある。
【００２６】
【表４】
0004683700.tif 000005
【００２７】
【表５】
0004683700.tif 000006
【００２８】
【表６】
0004683700.tif 000007
【００２９】
（比較例２）
茶、笹、ヨモギ、シソなどの天然抽出物からなる消臭成分の消臭性能の一例を示す。茶、笹、ヨモギ、シソなどの天然抽出物１〜５％の水溶液を消臭試験液とした。臭いガス：アンモニア、アセトアルデヒトとした。テドラーバック内に臭いガス１０００ｍｌ封入し、試験液を少量づつ添加していき各々３分以内にガス濃度の変化を見た。検知管により濃度の測定を行った。なお比較のためにＢｌａｎｋとしてテドラーバックにガスのみ封入したものを準備した。その１、その２から臭いガスを速効的に消臭できている。
【００３０】
【表７】
0004683700.tif 000008
【００３１】
【表８】
0004683700.tif 000009
【００３２】
【発明の効果】
以上のように本発明にによれば、天然抽出物を含む消臭成分とこの消臭成分を含んだ無機多孔質微粒子を含有する液を噴霧器により同時に噴射させることで、天然抽出物を含む消臭成分の速効的な効果と、無機多孔質微粒子から前記天然抽出物を含む消臭成分が徐放されることで持続性をもたせる効果の双方の効果を奏する。、この場合、天然抽出物を含む消臭成分とその消臭成分を含む無機多孔質微粒子を同時にミスト式噴霧器で噴射させても、噴霧状態の不良及び噴霧器内に無機多孔質微粒子が堆積し、噴霧できなくなるつまり現象が解消される等優れたものである。
【図面の簡単な説明】
【図１】中空を有する無機多孔質微粒子の断面図
【図２】中空を有しない無機多孔質微粒子の断面図
【図１】
0004683700.tif 000010
【図２】
0004683700.tif 000011